(57)【特許請求の範囲】
【請求項１】
映像情報を含む情報を記録する複数の記録ドライブと、
録画の予約が行われると、予約録画タスクの起動時に前記複数の記録ドライブの中の記録先ドライブが、他のタスクによりアクセスされているか判断する判断手段と、
前記録画先ドライブが、前記他のタスクによりアクセスされていると前記判断手段が判断した場合、前記記録先ドライブを同時アクセスしてリアルタイムでの録画が可能かを判定する判定手段、
前記記録先ドライブを同時アクセスしてリアルタイムでの録画が不可能と前記判定手段が判定した場合、前記記録先ドライブにアクセスしている前記他のタスクを停止させ、前記録画先ドライブを前記予約録画タスクによる録画可能状態とする停止処理手段と、
を具備することを特徴とする録画再生装置。
【請求項２】
前記停止処理手段は、記録先ドライブを現在使用している前記他のタスクを一時停止させる手段を有し、該録画再生装置は予約録画終了後、前記他のタスクを再開させる手段を更に具備することを特徴とする請求項１記載の録画再生装置。
【請求項３】
前記停止処理手段は、現在記録先ドライブを使用している前記他のタスクを強制終了させる手段を具備することを特徴とする請求項１記載の録画再生装置。
【発明の詳細な説明】
【０００１】
【発明の属する技術分野】
本発明は映像データ等の情報を記録及び再生する記録再生装置に関し、特に改良された予約録画機能を有する記録再生装置に関する。
【０００２】
【従来の技術】
近年、映像や音声等のデータを記録した光ディスクを再生する動画対応の光ディスク再生装置が開発された。この装置は、例えばＬＤやビデオＣＤ再生装置などの様に、映画ソフトを鑑賞したりカラオケ等楽しむ目的で一般に普及している。
【０００３】
その中で、現在、国際規格化したＭＰＥＧ２（Ｍｏｖｉｎｇ  Ｉｍａｇｅ  Ｃｏｄｉｎｇ  Ｅｘｐｅｒｔ  Ｇｒｏｕｐ  ）方式を使用するとともに、ＡＣ３オーディオ圧縮方式を採用したＤＶＤ規格が提案された。この規格は、映画やカラオケ等の字幕用としてビットマップデータをランレングス圧縮した副映像データも取り扱うことができる。
【０００４】
メディア自身の規格としては、ＤＶＤ−ビデオのメディアであるＤＶＤ−ＲＯＭの規格に続き、ＤＶＤ−ＲＡＭ（リムーバブル・メディア）の規格（４．７ＧＢ）も完成し、ＤＶＤ−ＲＡＭドライブも普及し始めている。
【０００５】
【発明が解決しようとする課題】
記録メディアの大容量化、低価格化に伴い、複数のドライブを備えた録画再生装置が実現可能となった。例えば、大容量ハードディスクドライブとＤＶＤ−ＲＡＭドライブを両方備えた装置等が考えられる。このような録画再生装置では、長時間にわたって録画された多番組の中から、長期保存したい番組等を選択し、リムーバブル・メディアへ移動やコピーを行いたい場合がある。
【０００６】
しかし、大容量のデータを移動又はコピーするには長時間の処理時間が必要であるため、このデータの移動やコピーの処理を実行している間に予約録画がタイマーで起動されることが考えられる。この時、ドライブへのアクセスバンド幅が、移動やコピーのためのアクセスと録画のためのアクセスを行うのに十分でない場合、リアルタイムでのアクセスが必要な録画が正しく行われない事が発生する。
【０００７】
従って本発明は、予約録画が開始される時刻に、録画先ドライブが他のタスクにより使用されている場合でも、該予約録画を正常に行うことできる記録再生装置を提供することを目的とする。
【０００８】
【課題を解決するための手段】
本発明の記録再生装置は、映像情報を含む情報を記録する複数の記録ドライブと、録画の予約が行われると、予約録画タスクの起動時に前記複数の記録ドライブの中の記録先ドライブが、他のタスクによりアクセスされているか判断する判断手段と、前記録画先ドライブが、前記他のタスクによりアクセスされていると前記判断手段が判断した場合、前記記録先ドライブを同時アクセスしてリアルタイムでの録画が可能かを判定する判定手段、前記記録先ドライブを同時アクセスしてリアルタイムでの録画が不可能と前記判定手段が判定した場合、前記記録先ドライブにアクセスしている前記他のタスクを停止させ、前記録画先ドライブを前記予約録画タスクによる録画可能状態とする停止処理手段とを具備する。
【０００９】
すなわち本発明では、予約録画の起動時、記録先ドライブの現在の状況をチェックし、記録先ドライブが、他のタスクによる記録データの移動又はコピーに使用されている場合、リアルタイムでの録画がこの状態で可能かを判断する。リアルタイムでの記録が可能でない場合、現在記録先ドライブを使用している他のタスクを停止させ、予約録画が可能な状態にする。リアルタイムでの記録が可能な場合、現在使用している他のタスクと同時アクセスを行い、録画を実現する。
【００１０】
【発明の実施の形態】
以下、図面を参照しながら本発明の実施の形態について詳細に説明する。
【００１１】
図１は本発明が適用される情報記録再生装置の構成を示すブロック図である。この情報記録再生装置は、ハーディスクドライブ（ＨＤＤ）２０と、ビデオファイルを構築できる情報記憶媒体である光ディスク１０を回転駆動し、この光ディスク１０に対して情報の読み書きを実行するディスクドライブ３５と、録画側を構成するエンコーダ部５０と、再生側を構成するデコーダ部６０と、データの伝送経路を切換える切換部３６、装置本体の動作を制御するマイクロコンピュータブロック３０、ユーザインターフェースＩ／Ｆ１１とを備えている。
【００１２】
エンコーダ部５０は、ＡＤＣ（アナログデジタルコンバータ）５２と、Ｖ（ビデオ）エンコーダと、Ａ（オーディオ）エンコーダと、ＳＰ（副映像）エンコーダを含むエンコーダ群５３と、各エンコーダの出力を所定のフォーマットにするフォーマッタ５６と、バッファメモリ５７とを備えている。
【００１３】
ＡＤＣ５２には、ＡＶ入力部４２からの外部アナログビデオ信号＋外部アナログオーディオ信号、あるいはＴＶ（テレビジョン）チューナ４４からのアナログＴＶ信号＋アナログ音声信号が入力される。
【００１４】
Ｖエンコーダは、入力されたデジタルビデオ信号を、ＭＰＥＧ２またはＭＰＥＧ１規格に基づいて、可変ビットレートで圧縮されたデジタル信号に変換する機能を持つ。また、Ａエンコーダは、入力されたデジタルオーディオ信号を、ＭＰＥＧまたはＡＣ−３規格に基づいて、固定ビットレートで圧縮されたデジタル信号またはリニアＰＣＭのデジタル信号に変換する機能を持つ。
【００１５】
副映像情報がＡＶ入力部４２から入力された場合（例えば副映像信号の独立出力端子付ＤＶＤビデオプレーヤからの信号）、あるいはこのようなデータ構成のＤＶＤビデオ信号が放送され、それがＴＶチューナ４４で受信された場合は、ＤＶＤビデオ信号中の副映像信号（副映像パック）が、ＳＰエンコーダに入力される。ＳＰエンコーダに入力された副映像信号は、所定の信号形態にアレンジされて、フォーマッタ５６に送られる。
【００１６】
フォーマッタ５６は、バッファメモリ５７をワークエリアとして使用しながら、入力されたビデオ信号、オーディオ信号、副映像信号等に対して所定の信号処理を行なうことにより、ＤＶＤの所定フォーマット（ファイル構造）に合致した記録データを切換部３６に出力する。
【００１７】
光ディスク１０に対して、情報の読み書き（録画及び／または再生）を実行する部分としては、光学系、駆動系を有するディスクドライブ３５と、切換部３６と、一時記憶部３７と、ＳＴＣ（システムタイムカウンターまたはシステムタイムクロック）３８とを備えている。
【００１８】
ここで本装置は、Ａ／Ｖ入力部４２又はＴＶチューナ４４から入力されエンコーダ部５０でエンコードされた情報及び作成された管理情報を、切換部３６を介してハードディスクドライブ２０に供給し、ハードディスクに記録することができる。またハードディスクに記録された情報を、切換部３６、ディスクドライブ３５を介して光ディスク１０に記録することもできる。さらに、Ａ／Ｖ入力部４２又はＴＶチューナ４４から入力されエンコーダ部５０でエンコードされた情報及び作成された管理情報を切換部３６、ディスクドライブ３５を介して、光ディスク１０に記録することもできる。また光ディスク１０に記録された情報をディスクドライブ３５、切換部３６を介してハードディスクドライブ２０に記録することができる。
【００１９】
マイクロコンピュータブロック３０は、ＭＰＵ（マイクロプロセシングユニット）、又はＣＰＵ（セントラルプロセシングユニット）と、本発明による処理を含むシステム制御プログラムが書き込まれたＲＯＭと、プログラム実行に必要なワークエリアを提供するためのＲＡＭとを含んでいる。
【００２０】
マイクロコンピュータブロック３０のＭＰＵは、そのＲＯＭに格納された制御プログラムにしたがい、ＲＡＭをワークエリアとして用いて、本発明による処理、欠陥場所検出、未記録領域検出、録画情報記録位置設定、ＡＶアドレス設定等を実行する。
【００２１】
ＭＰＵの実行結果のうち、ディスクドライブ３５のユーザに通知すべき内容は、ユーザインターフェース１１の表示部に表示されるか、またはモニタディスプレイにＯＳＤ（オンスクリーンディスプレイ）表示される。このユーザインターフェース１１は再生、停止、録画等のボタンを有し、このボタンを押下することによりユーザは本記録再生装置を操作できる。
【００２２】
デコーダ部６０は、パック構造を持つ映像情報から各パックを分離して取り出すセパレータ６２と、パック分離やその他の信号処理実行時に使用するメモリ６３と、セパレータ６２で分離された主映像データをデコードするＶデコーダと、セパレータ６２で分離された副映像データをデコードするＳＰデコーダと、セパレータ６２で分離されたオーディオデータをデコードするＡデコーダによるデコーダ群６４と、Ｖデコーダから得られる主映像データにＳＰデコーダから得られる副映像データを適宜合成し、主映像にメニュー、字幕その他の副映像を重ねて出力するビデオプロセッサ６６を備えている。
【００２３】
Ａデコーダの出力をデジタル出力する場合は、インターフェース（Ｉ／Ｆ）７５を介して外部へ出力され、アナログ出力する場合は、セレクタ７６を介してＤＡＣ７７でアナログ変換され外部に出力される。セレクタ７６は、マイクロコンピュータブロック３０からのセレクト信号により、ＴＶチューナ４４やＡ／Ｖ入力部４２からＡＤＣ５２を介して入力される信号とデコーダ群６４から入力される信号の一方を選択して出力する。アナログオーディオ信号は、図示しない外部コンポーネント（２チャンネル〜６チャンネルのマルチチャンネルステレオ装置）に供給される。
【００２４】
次に本発明による予約録画について説明する。本発明では、Ａ／Ｖ入力部４２又はＴＶチューナ４４等の入力部から入力される映像データの予約録画を実行する際、ディスクドライブ３５又はハードディスクドライブ２０等の記録先ドライブが記録データの移動又はコピーでアクセスされている場合、現在のアクセスを停止させ、予約録画による記録先ドライブへのアクセスを優先させて実行する。
【００２５】
図２は本発明による記録再生装置の予約録画動作を示すフローチャートである。ユーザインターフェース１１等を用いて録画の予約がユーザにより設定された後、マイクロコンピュータブロック３０は、この予約録画タスクの起動時に、記録先ドライブが記録データの移動又はコピーでアクセスされているかを調べる（ステップＳ１、Ｓ２）。このときマイクロコンピュータブロック３０は例えば図３のようなタスク管理テーブルを参照して各ドライブの動作状態を調べる。図３のタスク管理テーブルはハードディスクドライブ、ＤＶＤ−ＲＡＭドライブそれぞれについて現在実行しているタスクのＩＤが最大３個まで格納される。タスク管理テーブル中のデータ「００」はタスクがないことを示し、「０１」は例えばコピー処理というタスクによりアクセスされていることを示す。尚、ハードディスクドライブ２０は２つのタスクによる同時アクセスが可能であり、同時アクセスされている場合は、状態を示す数値が”１０”に変更される。
【００２６】
録画先ドライブが、他のタスクによる記録データの移動又はコピーに使用されていない場合、フローはステップＳ５に移行し、予約録画開始時間を待機する。一方、録画先ドライブが、他のタスクによる記録データの移動又はコピーに使用されている場合、同時アクセスによる録画、つまりリアルタイムでの録画がこの状態で可能かを判断する（ステップＳ３）。
【００２７】
リアルタイムでの記録が可能な場合、フローはステップＳ５に移行し、予約録画開始時間を待機する。一方、リアルタイムでの記録が可能ではない場合、マイクロコンピュータブロック３０は記録先ドライブを予約録画による映像の録画が可能な状態にする（ステップＳ４）。ここでマイクロコンピュータブロック３０は記録先ドライブを現在使用している他のタスクを一時停止させるか、又は強制終了する。
【００２８】
現在の時刻が予約録画開始時刻になると、マイクロコンピュータブロック３０は記録先ドライブを起動させ予約録画を行う（ステップＳ６）。予約録画が終了し、録画先ドライブが録画可能な状態になったことを確認すると、マイクロコンピュータブロック３０は予約録画終了処理を行う（ステップＳ７）。ここでマイクロコンピュータブロック３０は、ステップＳ４で記録先ドライブを使用している他のタスクを停止させた場合、このタスクを再開させる。つまりマイクロコンピュータブロック３０は、他のタスクによる録画先ドライブを用いた記録データの移動又はコピーを再開させる。
【００２９】
【発明の効果】
以上説明したように本発明によれば、予約録画が開始される時刻に、録画先ドライブが他のタスクにより使用されている場合でも、該予約録画が正しく行われる。
【図面の簡単な説明】
【図１】本発明が適用される情報記録再生装置の構成を示すブロック図。
【図２】本発明による記録再生装置の予約録画動作を示すフローチャート。
【図３】各記録ドライブの使用状況を示すタスク管理テーブル。
【符号の説明】
３０…マイクロコンピュータブロック、３５…ディスクドライブ、３６…切換部、３７…一時記憶部、３８…システムタイムクロック（ＳＴＣ）、４２…Ａ／Ｖ入力部、４４…ＴＶチューナ、５０…エンコーダ部、６０…デコーダ部。
【図１】
0003607597.tif 000002
【図２】
0003607597.tif 000003
【図３】
0003607597.tif 000004